(57)【要約】【課題】カバー部材の組み付け忘れを抑制することができるヒュージブルリンクユニットを提供することを目的とする。【解決手段】ヒュージブルリンクユニット１は、過電流により溶断する可溶体２０Ｃを有するユニット本体２と、前記可溶体２０Ｃを挟んで対向して位置し当該可溶体２０Ｃを両側から覆った状態で相互に係合することで前記ユニット本体２に組み付けられる一対のカバー部材４とを備ることを特徴とする。つまり、ヒュージブルリンクユニットは、一対のカバー部材４がユニット本体２の可溶体２０Ｃを挟んで対向して位置し当該可溶体２０Ｃを両側から覆った状態で相互に係合することでユニット本体２に組み付けられる。この結果、ヒュージブルリンクユニット１は、カバー部材４の組み付け忘れを抑制することができる、という効果を奏する。【選択図】図４
2020047414.tif 000002
【特許請求の範囲】
【請求項１】
過電流により溶断する可溶体を有するユニット本体と、
前記可溶体を挟んで対向して位置し当該可溶体を両側から覆った状態で相互に係合することで前記ユニット本体に組み付けられる一対のカバー部材とを備ることを特徴とする、
ヒュージブルリンクユニット。
【請求項２】
前記一対のカバー部材は、互いに同一形状である、
請求項１に記載のヒュージブルリンクユニット。
【請求項３】
前記一対のカバー部材の一方は、凹部状に形成された係合凹部を有し、
前記一対のカバー部材の他方は、前記係合凹部に係合可能である係合爪部を有する、
請求項１又は請求項２に記載のヒュージブルリンクユニット。
【請求項４】
前記一対のカバー部材の一方は、当該一対のカバー部材の対向方向に沿って貫通する係合孔部を有し、
前記一対のカバー部材の他方は、前記対向方向に沿って延在し先端部が前記係合孔部に係合可能である係合アーム部を有する、
請求項１乃至請求項３のいずれか１項に記載のヒュージブルリンクユニット。
【発明の詳細な説明】
【技術分野】
【０００１】
本発明は、ヒュージブルリンクユニットに関する。
【背景技術】
【０００２】
車両等に適用される従来のヒュージブルリンクユニットに関連する技術として、例えば、特許文献１に記載のカバーの取付構造は、ヒュージブルリンクユニットの可溶体を保護すべく、一対のカバー部材が当該可溶体を両側から覆うようにして装着される。
【先行技術文献】
【特許文献】
【０００３】
【特許文献１】特開２０１１−０７０９３６号公報
【発明の概要】
【発明が解決しようとする課題】
【０００４】
ところで、上述の特許文献１に記載のカバーの取付構造において、ヒュージブルリンクユニットは、一対のカバー部材のうちの一方の組み付け忘れ防止等の点で、更なる改善の余地がある。
【０００５】
本発明は、上記の事情に鑑みてなされたものであって、カバー部材の組み付け忘れを抑制することができるヒュージブルリンクユニットを提供することを目的とする。
【課題を解決するための手段】
【０００６】
上記目的を達成するために、本発明に係るヒュージブルリンクユニットは、過電流により溶断する可溶体を有するユニット本体と、前記可溶体を挟んで対向して位置し当該可溶体を両側から覆った状態で相互に係合することで前記ユニット本体に組み付けられる一対のカバー部材とを備ることを特徴とする。
【０００７】
また、上記ヒュージブルリンクユニットでは、前記一対のカバー部材は、互いに同一形状であるものとすることができる。
【０００８】
また、上記ヒュージブルリンクユニットでは、前記一対のカバー部材の一方は、凹部状に形成された係合凹部を有し、前記一対のカバー部材の他方は、前記係合凹部に係合可能である係合爪部を有するものとすることができる。
【０００９】
また、上記ヒュージブルリンクユニットでは、前記一対のカバー部材の一方は、当該一対のカバー部材の対向方向に沿って貫通する係合孔部を有し、前記一対のカバー部材の他方は、前記対向方向に沿って延在し先端部が前記係合孔部に係合可能である係合アーム部を有するものとすることができる。
【発明の効果】
【００１０】
本発明に係るヒュージブルリンクユニットは、一対のカバー部材がユニット本体の可溶体を挟んで対向して位置し当該可溶体を両側から覆った状態で相互に係合することでユニット本体に組み付けられる。この結果、ヒュージブルリンクユニットは、カバー部材の組み付け忘れを抑制することができる、という効果を奏する。
【図面の簡単な説明】
【００１１】
【図１】図１は、実施形態１に係るヒュージブルリンクユニットが組み付けられたバッテリの概略構成を表す斜視図である。
【図２】図２は、実施形態１に係るヒュージブルリンクユニットが組み付けられたバッテリの概略構成を表す分解斜視図である。
【図３】図３は、実施形態１に係るヒュージブルリンクユニットの概略構成を表す斜視図である。
【図４】図４は、実施形態１に係るヒュージブルリンクユニットの概略構成を表す分解斜視図である。
【図５】図５は、実施形態１に係るヒュージブルリンクユニットの係合機構を含む部分分解斜視図である。
【図６】図６は、実施形態１に係るヒュージブルリンクユニットの係合機構を含む部分分解斜視図である。
【図７】図７は、実施形態２に係るヒュージブルリンクユニットの概略構成を表す斜視図である。
【図８】図８は、実施形態２に係るヒュージブルリンクユニットの概略構成を表す分解斜視図である。
【図９】図９は、実施形態２に係るヒュージブルリンクユニットの係合機構を含む部分分解斜視図である。
【図１０】図１０は、実施形態２に係るヒュージブルリンクユニットの係合機構を含む部分分解斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態１］
図１、図２、図３、図４に示す本実施形態に係るヒュージブルリンクユニット（以下、「ＦＬ（Ｆｕｓｉｂｌｅ  Ｌｉｎｋ）ユニット」という場合がある。）１は、車両等に搭載されるバッテリ１００に組み付けられ、電装回路の過電流保護に用いられるものである。ここで、バッテリ１００は、例えば、車両等に蓄電装置として搭載されるものである。バッテリ１００は、バッテリ筐体１０１、バッテリポスト１０２を含んで構成される。バッテリ筐体１０１は、筐体本体１０３及び蓋部材１０４によって全体として略直方体形状に形成され、内部にバッテリ液や種々の構成部品を収容する。バッテリポスト１０２は、蓋部材１０４から突出して設けられる。バッテリポスト１０２は、導電性を有する鉛等によって略円柱状に形成される。バッテリポスト１０２は、蓋部材１０４に一対で設けられ、一方がバッテリ１００の陽極、他方がバッテリ１００の陰極を構成する。
【００１４】
本実施形態のＦＬユニット１は、陽極側のバッテリポスト１０２に組み付けられる。ＦＬユニット１は、バッテリ端子１０５を介して当該バッテリポスト１０２に電気的に接続される。バッテリ端子１０５は、導電性を有する金属材料によって形成された中間接続端子であり、バッテリポスト１０２とＦＬユニット１との間に介在し相互に電気的に接続する。バッテリ端子１０５は、締結部１０５ａ、スタッドボルト１０５ｂ、及び、ナット１０５ｃを有する。バッテリ端子１０５は、締結部１０５ａがバッテリポスト１０２に締結されると共に、スタッドボルト１０５ｂにナット１０５ｃを介して当該ＦＬユニット１が締結される。
【００１５】
そして、本実施形態のＦＬユニット１は、可溶体２０（可溶体２０Ｃ）を表裏両側から一対のカバー部材４で覆い保護すると共に、当該一対のカバー部材４同士が相互に係合してユニット本体２に組み付けられることで、カバー部材４の組み付け忘れの抑制を実現したものである。以下、各図を参照してＦＬユニット１の構成について詳細に説明する。
【００１６】
なお、以下の説明では、バッテリポスト１０２の中心軸線Ｃに沿った方向を軸線方向Ｘという。またここでは、以下の説明を分かり易くするために、便宜的に当該軸線方向Ｘと直交する２方向のうち一方を第１幅方向Ｙといい、他方を第２幅方向Ｚという。軸線方向Ｘと第１幅方向Ｙと第２幅方向Ｚは、互いに直交（交差）する。典型的には、軸線方向Ｘは、バッテリ１００が車両等に搭載された状態で、鉛直方向に沿った方向となる。また、バッテリ筐体１０１は、第１幅方向Ｙが長辺方向、第２幅方向Ｚが短辺方向となる。また、一対のバッテリポスト１０２は、第１幅方向Ｙに沿って間隔をあけて設けられる。以下の説明で用いる各方向は、特に断りのない限り、各部が相互に組み付けられた状態での方向を表すものとする。
【００１７】
具体的には、ＦＬユニット１は、ユニット本体２と、複数の第１のカバー部材３と、一対の第２のカバー部材４とを備る。
【００１８】
ユニット本体２は、過電流により溶断する可溶体２０を有し、バッテリ端子１０５と接続され過電流が流れたときに可溶体２０が溶断するものである。本実施形態のユニット本体２は、可溶体２０が設けられたバスバ回路体２１と、バスバ回路体２１に連接されたスタッドボルト２２、２３と、バスバ回路体２１、スタッドボルト２２、２３を保持する樹脂製のハウジング（ブロック）２４とを含んで構成される。バスバ回路体２１、スタッドボルト２２、２３は、導電性を有する金属材料によって形成される。ハウジング２４は、絶縁性を有する樹脂材料によって形成される。バスバ回路体２１、スタッドボルト２２、２３は、一部が外部に露出した状態でハウジング２４の内部に埋設される。ユニット本体２は、例えば、インサート成形等によってハウジング２４の内部にバスバ回路体２１、スタッドボルト２２、２３が埋設され一体化される。ユニット本体２は、ベース部２Ａ、及び、垂下部２Ｂを含んで構成され、全体として第２幅方向Ｚと軸線方向Ｘとに延在するように形成される。ユニット本体２は、ベース部２Ａと垂下部２Ｂとが屈曲部を介して交わるようにして形成される。ベース部２Ａは、蓋部材１０４上に設けられ、蓋部材１０４においてバッテリポスト１０２が設けられた面（典型的には鉛直方向上面）に沿って位置する。ベース部２Ａは、屈曲部から第２幅方向Ｚに沿って延在する。垂下部２Ｂは、ベース部２Ａから屈曲部を介して軸線方向Ｘの一方側（典型的には鉛直方向下側）に垂れ下がるように突出して設けられる。垂下部２Ｂは、屈曲部から軸線方向Ｘに沿って延在する。ハウジング２４は、これらベース部２Ａと垂下部２Ｂとで分割されて構成されてもよい。
【００１９】
バスバ回路体２１は、電装回路の一部を構成する。バスバ回路体２１は、導電性を有する板状の導体であり、金属バスバによって構成される。バスバ回路体２１は、ベース部２Ａを構成する部分と垂下部２Ｂを構成する部分との間に屈曲部を介して曲げ加工が施されて形成される。バスバ回路体２１は、ベース部２Ａを構成する部分に、軸線方向Ｘに沿って貫通する締結孔２１ａ、２１ｂ、２１ｃを有する。締結孔２１ａは、バッテリ端子１０５のスタッドボルト１０５ｂが軸線方向Ｘに沿って挿入される。スタッドボルト１０５ｂは、締結孔２１ａに挿入された状態で上述のようにナット１０５ｃによってバスバ回路体２１が締結され相互に導通される。締結孔２１ｂは、スタッドボルト２２が軸線方向Ｘに沿って挿入される。スタッドボルト２２は、締結孔２１ｂに挿入された状態でナット（不図示）によってバスバ回路体２１と共に接続端子（不図示）が共締めされ相互に導通される。スタッドボルト２２は、例えば、当該接続端子や電線等を介してオルタネータに電気的に接続される。締結孔２１ｃは、スタッドボルト２３が軸線方向Ｘに沿って挿入される。スタッドボルト２３は、締結孔２１ｃに挿入された状態でナット（不図示）によってバスバ回路体２１と共に接続端子（不図示）が共締めされ相互に導通される。スタッドボルト２３は、例えば、当該接続端子や電線等を介して負荷機器に電気的に接続される。
【００２０】
バスバ回路体２１は、例えば、スタッドボルト１０５ｂとスタッドボルト２２とを接続する回路、スタッドボルト１０５ｂとスタッドボルト２３とを接続する回路、及び、スタッドボルト２２とコネクタ接続タブ（不図示）とを接続する回路等を含んで構成される。コネクタ接続タブは、ハウジング２４において垂下部２Ｂを構成する部分に形成されたコネクタ嵌合部２４Ａ内に突出して位置する。コネクタ接続タブは、当該コネクタ嵌合部２４Ａにコネクタ嵌合されるコネクタと電気的に接続され、例えば、当該コネクタや電線等を介して負荷機器に電気的に接続される。そして、バスバ回路体２１は、当該回路中に可溶体２０が設けられる。
【００２１】
可溶体２０は、過電流が流れたときに溶断する溶断部を構成するものである。可溶体２０は、例えば、バスバ回路体２１において幅を狭めた帯状の導電部に低融点金属チップを加締めた上で溶着させた構成で、過電流が流れたときに溶断し該当する電流経路を遮断する。ここで、可溶体２０の過電流とは、例えば、予め設定された定格以上の電流である。つまり、可溶体２０は、予め設定された定格以上の電流が流れたときに溶断する。可溶体２０の定格電流は、保護する回路の電流に合わせてそれぞれ決められる。ここでは、可溶体２０は、複数設けられる。複数の可溶体２０は、第１の可溶体２０Ａ、第２の可溶体２０Ｂ、及び、複数の第３の可溶体２０Ｃを含んで構成される。
【００２２】
可溶体２０Ａは、スタッドボルト１０５ｂとスタッドボルト２２とを接続する回路中に設けられる。可溶体２０Ｂは、スタッドボルト１０５ｂとスタッドボルト２３とを接続する回路中に設けられる。可溶体２０Ａ、及び、可溶体２０Ｂは、それぞれハウジング２４に形成された収容空間部２４ａ、２４ｂ内に位置する。収容空間部２４ａ、２４ｂは、ハウジング２４においてベース部２Ａを構成する部分に形成され、軸線方向Ｘの両側が開口した空間部である。収容空間部２４ａと収容空間部２４ｂとは、第１幅方向Ｙに対して締結孔２１ａを挟んで対向する位置に設けられる。可溶体２０Ａ、及び、可溶体２０Ｂは、それぞれ、当該収容空間部２４ａ、２４ｂの開口を介して軸線方向Ｘの両側に対して露出する。そして、可溶体２０Ａ、及び、可溶体２０Ｂは、それぞれ、収容空間部２４ａ、２４ｂに、略Ｕ字型形状（略コの字型形状）に形成されたカバー部材３が組み付けられることで、軸線方向Ｘの両側が覆われ、保護される。カバー部材３は、可溶体２０Ａ、２０Ｂに異物が付着したり指や他の部材が接触したりすることを防止し、可溶体２０Ａ、２０Ｂの変形、損傷を防止する。また、カバー部材３は、可溶体２０Ａ、２０Ｂが過電流により溶断した際の飛散を防止する。カバー部材３は、例えば、収容空間部２４ａ、２４ｂ内の可溶体２０Ａ、２０Ｂを視認可能なように透明／半透明の樹脂材料によって形成される。
【００２３】
複数の可溶体２０Ｃは、それぞれスタッドボルト２２とコネクタ接続タブとを接続する回路中に設けられる。ここでは、可溶体２０Ｃは、５つ設けられる。複数の可溶体２０Ｃは、それぞれハウジング２４に形成された収容空間部２４ｃ内に位置する。収容空間部２４ｃは、ハウジング２４において垂下部２Ｂを構成する部分に形成され、第２幅方向Ｚの両側が開口した空間部である。収容空間部２４ｃは、軸線方向Ｘに対してコネクタ嵌合部２４Ａと屈曲部との間でかつコネクタ嵌合部２４Ａと隣接する位置に設けられる。複数（５つ）の収容空間部２４ｃは、第１幅方向Ｙに沿って並んで設けられる。複数の可溶体２０Ｃは、それぞれ、当該各収容空間部２４ｃの開口を介して第２幅方向Ｚの両側に対して露出する。そして、複数の可溶体２０Ｃは、それぞれ、複数の収容空間部２４ｃの第２幅方向Ｚの両側に一対のカバー部材４が組み付けられることで、第２幅方向Ｚの両側が一括で覆われ、保護される。カバー部材４は、可溶体２０Ｃに異物が付着したり指や他の部材が接触したりすることを防止し、可溶体２０Ｃの変形、損傷を防止する。また、カバー部材４は、可溶体２０Ｃが過電流により溶断した際の飛散を防止する。カバー部材４は、例えば、収容空間部２４ｃ内の可溶体２０Ｃを視認可能なように透明／半透明の樹脂材料によって形成される。
【００２４】
本実施形態における一対のカバー部材４は、図３、図４に示すように、第２幅方向Ｚに対して可溶体２０Ｃを挟んで対向して位置し当該可溶体２０Ｃを両側から覆った状態で相互に係合することでユニット本体２の垂下部２Ｂに組み付けられる。本実施形態の一対のカバー部材４は、互いに同一形状である。
【００２５】
なお、以下の説明では、一対のカバー部材４を区別して説明する場合には便宜的にそれぞれ「カバー部材４Ａ」、「カバー部材４Ｂ」といい、一対のカバー部材４を特に区別して説明する必要がない場合には単に「カバー部材４」という場合がある。
【００２６】
具体的には、各カバー部材４は、それぞれ、本体部４ａ、及び、一対の端部壁部４ｂ、４ｃを含んで構成される。カバー部材４は、本体部４ａと一対の端部壁部４ｂ、４ｃとが一体で形成され、全体として略Ｕ字型形状（略コの字型形状）に形成される。本体部４ａは、複数の可溶体２０Ｃを覆い、保護する主たる部分である。本体部４ａは、第２幅方向Ｚが板厚方向となる略矩形板状に形成され、軸線方向Ｘ、及び、第１幅方向Ｙに沿って延在する。本体部４ａは、軸線方向Ｘが短辺方向、第１幅方向Ｙが長辺方向となる略矩形板状に形成される。一対の端部壁部４ｂ、４ｃは、本体部４ａの第１幅方向Ｙの端部からそれぞれ第２幅方向Ｚに沿って同じ側に突出して形成される。端部壁部４ｂは、本体部４ａの第１幅方向Ｙの一方の端部に設けられる。端部壁部４ｃは、本体部４ａの第１幅方向Ｙの他方の端部に設けられる。一対の端部壁部４ｂ、４ｃは、共に第１幅方向Ｙが板厚方向となる略矩形板状に形成され、軸線方向Ｘ、及び、第２幅方向Ｚに沿って延在する。各端部壁部４ｂ、４ｃは、軸線方向Ｘが長辺方向、第２幅方向Ｚが短辺方向となる略矩形板状に形成される。
【００２７】
そして、本実施形態の一対のカバー部材４の一方は、凹部状に形成された係合凹部５ａを有する。一対のカバー部材４の他方は、係合凹部５ａに係合可能である係合爪部５ｂを有する。係合凹部５ａ、及び、係合爪部５ｂは、可溶体２０Ｃを第２幅方向Ｚの両側から覆った状態で一対のカバー部材４同士を係合する係合機構５を構成するものである。ここでは、各カバー部材４は、それぞれ、係合凹部５ａ、及び、係合爪部５ｂの双方を有している。すなわち、一対のカバー部材４は、１つの係合凹部５ａと１つの係合爪部５ｂとを一対とし、当該一対の係合凹部５ａと係合爪部５ｂとを２組有している（図５、図６等も参照）。そして、一対のカバー部材４は、一方の係合爪部５ｂが他方の係合凹部５ａに係合される。係合凹部５ａは、端部壁部４ｂに略矩形状の貫通孔として形成される。係合凹部５ａは、第１幅方向Ｙに沿って端部壁部４ｂを貫通する。係合爪部５ｂは、端部壁部４ｃに爪状に形成される。係合爪部５ｂは、端部壁部４ｂから第１幅方向Ｙに沿って外側（端部壁部４ｂ側とは反対側）に突出して形成される。
【００２８】
上記のように構成される一対のカバー部材４は、第２幅方向Ｚに対して、互いの本体部４ａが対向し、かつ、一方の端部壁部４ｂと他方の端部壁部４ｃとが対向する位置関係で垂下部２Ｂに組み付けられる。すなわち、カバー部材４Ａは、第２幅方向Ｚに対して、複数の収容空間部２４ｃ、及び、当該複数の収容空間部２４ｃ内に位置する複数の可溶体２０Ｃを挟んで一方側に位置する。カバー部材４Ｂは、第２幅方向Ｚに対して、複数の収容空間部２４ｃ、及び、当該複数の収容空間部２４ｃ内に位置する複数の可溶体２０Ｃを挟んで他方側に位置する。そして、一対のカバー部材４Ａ、４Ｂは、図５、図６に示すように、一方の端部壁部４ｃが他方の端部壁部４ｂの内側に入り込むように組み付けられる。一対のカバー部材４Ａ、４Ｂは、この位置関係でカバー部材４Ａの係合爪部５ｂがカバー部材４Ｂの係合凹部５ａに係合され、カバー部材４Ｂの係合爪部５ｂがカバー部材４Ａの係合凹部５ａに係合される。一対のカバー部材４Ａ、４Ｂは、係合機構５を介して互いに係合した状態で、垂下部２Ｂにおいて収容空間部２４ｃが形成された凹部状の部分に嵌った状態となる。この結果、一対のカバー部材４Ａ、４Ｂは、相互に係合することでユニット本体２の垂下部２Ｂに組み付けられる。
【００２９】
以上で説明したＦＬユニット１は、一対のカバー部材４がユニット本体２の可溶体２０Ｃを挟んで対向して位置し当該可溶体２０Ｃを両側から覆った状態で相互に係合することでユニット本体２に組み付けられる。この構成により、ＦＬユニット１は、一対のカバー部材４をユニット本体２に組み付けるためには当該一対のカバー部材４の双方を要する構成とすることができるので、例えば、一対のカバー部材４のうちの一方だけを組み付けて、他方を組み付け忘れることを防止することができる。この結果、ＦＬユニット１は、カバー部材４の組み付け忘れを抑制することができる。
【００３０】
さらに、以上で説明したＦＬユニット１は、一対のカバー部材４が互いに同一形状であるので、部品の共通化、部品管理の容易化等を図ることができ、製造コストを抑制することができる。
【００３１】
ここでは、以上で説明したＦＬユニット１は、一対のカバー部材４の一方に設けられた係合凹部５ａと、一対のカバー部材４の他方に設けられた係合爪部５ｂとによって係合機構５を構成することができる。この構成により、ＦＬユニット１は、一対のカバー部材４を相互に係合させることでユニット本体２に組み付ける構成を実現することができる。
【００３２】
［実施形態２］
実施形態２に係るヒュージブルリンクユニットは、係合機構の構成が実施形態１とは異なる。以下では、上述した実施形態と同様の構成要素には共通の符号が付されるとともに、共通する構成、作用、効果については、重複した説明はできるだけ省略する。
【００３３】
図７、図８に示す本実施形態のＦＬユニット（ヒュージブルリンクユニット）２０１は、一対のカバー部材４にかえて一対のカバー部材２０４を備える点で上述のＦＬユニット１と異なる。ＦＬユニット２０１のその他の構成は、当該ＦＬユニット１と略同様の構成である。
【００３４】
なお、以下の説明では、一対のカバー部材２０４を区別して説明する場合には便宜的にそれぞれ「カバー部材２０４Ａ」、「カバー部材２０４Ｂ」といい、一対のカバー部材２０４を特に区別して説明する必要がない場合には単に「カバー部材２０４」という場合がある。
【００３５】
一対のカバー部材２０４は、端部壁部４ｂ、４ｃを備えないと共に、係合凹部５ａ、係合爪部５ｂにかえて、係合孔部２０５ａ、係合アーム部２０５ｂを備える点で上述の一対のカバー部材４と異なる。一対のカバー部材２０４のその他の構成は、当該一対のカバー部材４と略同様の構成である。
【００３６】
本実施形態の一対のカバー部材２０４の一方は、当該一対のカバー部材２０４の対向方向である第２幅方向Ｚに沿って貫通する係合孔部２０５ａを有する。一対のカバー部材２０４の他方は、当該対向方向である第２幅方向Ｚに沿って延在し先端部が係合孔部２０５ａに係合可能である係合アーム部２０５ｂを有する。係合孔部２０５ａ、及び、係合アーム部２０５ｂは、可溶体２０Ｃを第２幅方向Ｚの両側から覆った状態で一対のカバー部材２０４同士を係合する係合機構２０５を構成するものである。ここでは、各カバー部材２０４は、それぞれ、係合孔部２０５ａ、及び、係合アーム部２０５ｂの双方を有している。すなわち、一対のカバー部材４は、１つの係合孔部２０５ａと１つの係合アーム部２０５ｂとを一対とし、当該一対の係合孔部２０５ａと係合アーム部２０５ｂとを２組有している（図９、図１０等も参照）。そして、一対のカバー部材２０４は、一方の係合アーム部２０５ｂの先端部が他方の係合爪部５ｂに挿入され係合される。係合孔部２０５ａは、カバー部材２０４の本体部４ａの第１幅方向Ｙの一方の端部に設けられる。係合孔部２０５ａは、第２幅方向Ｚに沿って本体部４ａを貫通する略矩形状の貫通孔として形成される。係合アーム部２０５ｂは、カバー部材２０４の本体部４ａの第１幅方向Ｙの他方の端部に設けられる。係合アーム部２０５ｂは、本体部４ａから第２幅方向Ｚに沿って二又状に分かれて突出して形成されており、当該二又状の先端部に、軸線方向Ｘに沿って互いに逆方向を向くように突出して爪部２０５ｃが形成されている。係合アーム部２０５ｂは、係合孔部２０５ａに挿入された状態で当該爪部２０５ｃが係合孔部２０５ａの縁部に係止されることで当該係合孔部２０５ａに係合される。
【００３７】
上記のように構成される一対のカバー部材２０４は、第２幅方向Ｚに対して、互いの本体部４ａが対向する位置関係で垂下部２Ｂに組み付けられる。すなわち、カバー部材２０４Ａは、第２幅方向Ｚに対して、複数の収容空間部２４ｃ、及び、当該複数の収容空間部２４ｃ内に位置する複数の可溶体２０Ｃを挟んで一方側に位置する。カバー部材２０４Ｂは、第２幅方向Ｚに対して、複数の収容空間部２４ｃ、及び、当該複数の収容空間部２４ｃ内に位置する複数の可溶体２０Ｃを挟んで他方側に位置する。そして、一対のカバー部材２０４Ａ、２０４Ｂは、図９、図１０に示すように、一方の係合アーム部２０５ｂを他方の係合孔部２０５ａに挿入するようにして組み付けられる。一対のカバー部材２０４Ａ、２０４Ｂは、この位置関係でカバー部材２０４Ａの係合アーム部２０５ｂの爪部２０５ｃがカバー部材２０４Ｂの係合孔部２０５ａの縁部に係合され、カバー部材２０４Ｂの係合アーム部２０５ｂの爪部２０５ｃがカバー部材２０４Ａの係合孔部２０５ａの縁部に係合される。一対のカバー部材２０４Ａ、２０４Ｂは、係合機構２０５を介して互いに係合した状態で、垂下部２Ｂにおいて収容空間部２４ｃが形成された凹部状の部分に嵌った状態となる。この結果、一対のカバー部材２０４Ａ、２０４Ｂは、相互に係合することでユニット本体２の垂下部２Ｂに組み付けられる。
【００３８】
以上で説明したＦＬユニット２０１は、カバー部材２０４の組み付け忘れを抑制することができる。ここでは、以上で説明したＦＬユニット２０１は、一対のカバー部材２０４の一方に設けられた係合孔部２０５ａと、一対のカバー部材２０４の他方に設けられた係合アーム部２０５ｂとによって係合機構２０５を構成することができる。この構成により、ＦＬユニット２０１は、一対のカバー部材２０４を相互に係合させることでユニット本体２に組み付ける構成を実現することができる。
【００３９】
なお、上述した本発明の実施形態に係るヒュージブルリンクユニットは、上述した実施形態に限定されず、特許請求の範囲に記載された範囲で種々の変更が可能である。本実施形態に係るヒュージブルリンクユニットは、以上で説明した各実施形態、変形例の構成要素を適宜組み合わせることで構成してもよい。
【００４０】
以上の説明では、一対のカバー部材４、２０４は、それぞれ互いに同一形状であるものとして説明したがこれに限らない。一対のカバー部材は、可溶体２０Ｃを両側から覆った状態で相互に係合することでユニット本体２に組み付けられる構造であれば互いに異なる形状であってもよい。
【００４１】
以上で説明したユニット本体２は、ベース部２Ａ、及び、垂下部２Ｂを含んで構成されるものとして説明したがこれに限らない。
【００４２】
以上の説明では、ＦＬユニット１、２０１は、バッテリ１００の陽極側のバッテリポスト１０２に組み付けられるものとして説明したがこれに限らない。ＦＬユニット１、２０１は、例えば、バッテリ１００以外のものに組み付けられてもよい。
【００４３】
以上で説明した係合機構は、上記の構成に限られない。
【符号の説明】
【００４４】
１、２０１    ヒュージブルリンクユニット、ＦＬユニット
２    ユニット本体
２Ａ    ベース部
２Ｂ    垂下部
３、４、４Ａ、４Ｂ、２０４、２０４Ａ、２０４Ｂ    カバー部材
４ａ    本体部
４ｂ、４ｃ    端部壁部
５、２０５    係合機構
５ａ    係合凹部
５ｂ    係合爪部
２０、２０Ａ、２０Ｂ、２０Ｃ    可溶体
２１    バスバ回路体
２１ａ、２１ｂ、２１ｃ    締結孔
２２、２３    スタッドボルト
２４    ハウジング
２４Ａ    コネクタ嵌合部
２４ａ、２４ｂ、２４ｃ    収容空間部
２０５ａ    係合孔部
２０５ｂ    係合アーム部
２０５ｃ    爪部
Ｘ    軸線方向
Ｙ    第１幅方向（対向方向）
Ｚ    第２幅方向
【図１】
2020047414.tif 000003
【図２】
2020047414.tif 000004
【図３】
2020047414.tif 000005
【図４】
2020047414.tif 000006
【図５】
2020047414.tif 000007
【図６】
2020047414.tif 000008
【図７】
2020047414.tif 000009
【図８】
2020047414.tif 000010
【図９】
2020047414.tif 000011
【図１０】
2020047414.tif 000012